【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
走行中の車両の車載機と光信号による無線通信を行う光ビーコンであって、
高低２種類の伝送速度での光電気変換が可能な光受信部と、
前記光受信部が出力する受信信号にデジタル信号処理を行う信号処理部と、を備え、
前記光受信部は、受光した前記光信号を電気信号に変換する受光素子と、低速用及び高速用とで個別の受信回路とを有し、前記信号処理部は、双方の前記受信回路が出力する前記受信信号にそれぞれ前記デジタル信号処理を行うことを特徴とする光ビーコン。
【請求項２】
低速用及び高速用とで個別の前記受信回路は、それぞれ次の第１及び第２受信回路よりなる請求項１に記載の光ビーコン。
第１受信回路：変換された電気信号を低速帯域で動作して増幅する低速用増幅回路と、増幅された電気信号の低速成分を抽出可能な低速用フィルタと、抽出された低速信号を閾値と比較してデジタルの受信信号を出力する低速用コンパレータとを含む受信回路
第２受信回路：変換された電気信号を高速帯域で動作して増幅する高速用増幅回路と、増幅された電気信号の高速成分を抽出可能な高速用フィルタと、抽出された高速信号を閾値と比較してデジタルの受信信号を出力する高速用コンパレータとを含む受信回路
【請求項３】
走行中の車両の車載機と光信号による無線通信を行う光ビーコンであって、
高低２種類の伝送速度での光電気変換が可能な光受信部と、
前記光受信部が出力する受信信号にデジタル信号処理を行う信号処理部と、を備え、
前記光受信部は、受光した前記光信号を電気信号に変換する受光素子と、高速用と低速用とを共用させた受信回路とを有し、前記信号処理部は、前記受信回路が出力する前記受信信号から当該受信信号の伝送速度を判定し、判定した前記伝送速度にて前記受信信号に前記デジタル信号処理を行うことを特徴とする光ビーコン。
【請求項４】
共用させた前記受信回路は、次の共用受信回路よりなる請求項３に記載の光ビーコン。
共用受信回路：変換された電気信号を高速帯域で動作して増幅する共用増幅回路と、増幅された電気信号の低速成分と高速成分の双方を抽出可能な共用フィルタと、抽出された信号を閾値と比較してデジタルの受信信号を出力する共用コンパレータとを含む受信回路
【手続補正２】
【補正対象書類名】明細書
【補正対象項目名】発明の名称
【補正方法】変更
【補正の内容】
【発明の名称】光ビーコン
【手続補正３】
【補正対象書類名】明細書
【補正対象項目名】０００１
【補正方法】変更
【補正の内容】
【０００１】
本発明は、光信号を用いて路車間で無線通信を行う光ビーコンに関する。
【手続補正４】
【補正対象書類名】明細書
【補正対象項目名】０００９
【補正方法】変更
【補正の内容】
【０００９】
本発明は、かかる従来の問題点に鑑み、アップリンク方向でマルチレート対応である新光ビーコンを提供することを目的とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
（１）  本発明の光ビーコンは、高低２種類の伝送速度に合わせて２系統のアナログ受信回路を有する光ビーコンに関する。
すなわち、本発明の光ビーコンは、走行中の車両の車載機と光信号による無線通信を行う光ビーコンであって、高低２種類の伝送速度での光電気変換が可能な光受信部と、前記光受信部が出力する受信信号にデジタル信号処理を行う信号処理部と、を備え、前記光受信部は、受光した前記光信号を電気信号に変換する受光素子と、低速用及び高速用とで個別の受信回路とを有し、前記信号処理部は、双方の前記受信回路が出力する前記受信信号にそれぞれ前記デジタル信号処理を行うことを特徴とする。
【手続補正７】
【補正対象書類名】明細書
【補正対象項目名】００１２
【補正方法】変更
【補正の内容】
【００１２】
（２）  具体的には、低速用及び高速用とで個別の前記受信回路は、次の第１及び第２受信回路よりなる。
第１受信回路：変換された電気信号を低速帯域で動作して増幅する低速用増幅回路と、増幅された電気信号の低速成分を抽出可能な低速用フィルタと、抽出された低速信号を閾値と比較してデジタルの受信信号を出力する低速用コンパレータとを含む受信回路
第２受信回路：変換された電気信号を高速帯域で動作して増幅する高速用増幅回路と、増幅された電気信号の高速成分を抽出可能な高速用フィルタと、抽出された高速信号を閾値と比較してデジタルの受信信号を出力する高速用コンパレータとを含む受信回路
【手続補正８】
【補正対象書類名】明細書
【補正対象項目名】００１３
【補正方法】変更
【補正の内容】
【００１３】
本発明の光ビーコンによれば、光受信部が、受光した光信号を電気信号に変換する受光素子と、上記第１及び第２受信回路とを有し、信号処理部が、双方の受信回路が出力する受信信号にそれぞれデジタル信号処理を行うので、旧車載機及び新車載機のうちのいずれが送信元であっても、受信信号を適切にデジタル信号処理することができる。
従って、高低２種類の伝送速度でアップリンク受信できる、アップリンク方向にマルチレート対応の光ビーコンを提供することができ、前記目的が達成される。
【手続補正９】
【補正対象書類名】明細書
【補正対象項目名】００１４
【補正方法】変更
【補正の内容】
【００１４】
（３）  他の観点から見た本発明の光ビーコンは、高低２種類の伝送速度を受信可能な１系統のアナログ受信回路を有する光ビーコンに関する。
すなわち、本発明の光ビーコンは、高低２種類の伝送速度でのアップリンク受信が可能な光受信部と、前記光受信部が出力する受信信号にデジタル信号処理を施す信号処理部と、を備え、前記光受信部は、受光した前記光信号を電気信号に変換する受光素子と、高速用と低速用とを共用させた受信回路とを有し、前記信号処理部は、前記受信回路が出力する前記受信信号から当該受信信号の伝送速度を判定し、判定した前記伝送速度にて前記受信信号に前記デジタル信号処理を行うことを特徴とする。
【手続補正１０】
【補正対象書類名】明細書
【補正対象項目名】００１５
【補正方法】変更
【補正の内容】
【００１５】
（４）  具体的には、共用させた前記受信回路は、次の共用受信回路よりなる。
共用受信回路：変換された電気信号を高速帯域で動作して増幅する共用増幅回路と、増幅された電気信号の低速成分と高速成分の双方を抽出可能な共用フィルタと、抽出された信号を閾値と比較してデジタルの受信信号を出力する共用コンパレータとを含む受信回路
【手続補正１１】
【補正対象書類名】明細書
【補正対象項目名】００１６
【補正方法】変更
【補正の内容】
【００１６】
本発明の光ビーコンによれば、光受信部が、受光した光信号を電気信号に変換する受光素子と、上記共用受信回路とを有し、信号処理部が、共用受信回路が出力する受信信号から当該受信信号の伝送速度を判定し、判定した伝送速度にて受信信号にデジタル信号処理を行うので、旧車載機及び新車載機のうちのいずれが送信元であっても、受信信号を適切にデジタル信号処理することができる。
従って、高低２種類の伝送速度でアップリンク受信できる、アップリンク方向にマルチレート対応の光ビーコンを提供することができ、前記目的が達成される。
なお、共用コンパレータは、共用フィルタを通過した高速信号と低速信号の双方に対する比較処理が可能であるコンパレータ、或いは、高速か低速かを特定して択一的に比較処理を行うコンパレータを採用すればよい。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００３４
【補正方法】変更
【補正の内容】
【００３４】
以上の通り、本発明によれば、アップリンク方向でマルチレート対応である新光ビーコンが得られる。